(57)【要約】【課題】橋梁等の長大構造物を起重機船により吊運搬し架設する工事では、吊込、運搬、架設の各作業時に長大構造物の変状を十分に把握して起重機船の操船およびクレーン操作する必要がある。このため十分な経験と測量技術を持つ監視員を陸上に配置して長大構造物の変状を測量し、その結果を起重機船側へ無線連絡で行っているが、起重機船側では即時に総合判断ができないことや連絡遅れがあると操船およびクレーンの調整操作を誤るおそれがある。【解決手段】橋梁等の長大構造物を起重機船により吊運搬し架設する際に、長大構造物上に光学的変状計測装置を配置して長大構造物全体のたわみ及びねじれを計測し、計測データを無線式データ伝送機により起重機船側に伝送し、起重機船側では、受信した長大構造物の変状データを情報処理装置により演算処理し表示装置に表示することにより、長大構造物の変位状態をリアルタイムに計測管理し、安全に架設工事が行えるようにした長大構造物の光学的変状計測装置。【選択図】図１
2008058178.tif 000002
【特許請求の範囲】
【請求項１】
長大構造物上の互いに離間する位置に配置したターゲットとズーム付きＣＣＤカメラとを有し、ズーム付きＣＣＤカメラで撮像したターゲットの画像データを画像処理機で画像処理し、長大構造物のたわみ成分とねじれ成分の変位を計測できるよう構成されていることを特徴とする長大構造物の光学的変状計測装置。
【請求項２】
前記長大構造物が橋梁であって橋梁を起重機船により吊運搬し架設する際は、上記画像データを画像処理して得た橋梁の変状データを無線式データ伝送機により無線伝送するようにし、起重機船側では、橋梁の変状データを無線式データ受信機で介して情報処理装置により受信し変状計測結果を演算処理し表示装置に表示することにより、橋梁の変位状態をリアルタイムに計測管理できる機能を有することを特徴とする請求項１記載の長大構造物の光学的変状計測装置。
【請求項３】
前記表示装置が、現在の橋梁のたわみ及びねじれを情報処理装置に事前設定された設計上の許容管理値と比較してグラフ表示し、該許容管理値は橋梁吊込みモード、運搬モード、橋梁架設モードに対応した許容管理値を前記情報処理装置に事前入力しておくことにより、各作業段階に応じた適切なウインチ操作やクレーン操作をうながし、また作業の待機または中止等の作業限界を判定ができることを特徴とする請求項２記載の長大構造物の光学的変状計測装置。
【発明の詳細な説明】
【技術分野】
【０００１】
本発明は、長大構造物の光学的変状計測装置、特に、起重機船により長大構造物を吊運搬し架設する際に、長大構造物のたわみ及びねじれの変位状態をリアルタイムに計測管理し安全に架設作業が行えるようにした長大構造物の光学的変状計測装置に関する。
【背景技術】
【０００２】
図８及び図９は、起重機船により長大構造物、例えば橋梁を吊り下げ海上架設する工法を示し、架設すべき橋梁１の吊り下げ位置を起重機船３で調整し既設橋台２ａ，２ｂに設けた据付ガイド４ａ，４ｂ，４ｃに橋梁１を押し当て振れを抑えつつ嵌合させる。このとき、既設橋台２ａ，２ｂには、十分な経験と測量技術を持つ監視員を配置して橋梁の変状や位置を測量し、測量状況を作業指揮者に無線連絡し、作業指揮者は総合判断のもとに起重機船側へ操船及びクレーン調整を無線連絡で行う。
【０００３】
橋梁１のたわみ及びねじれの変状計測では、橋梁１上の所定位置にＧＰＳ位置測定装置を多数並べて配置し各位置の計測値から演算処理する方法（例えば、特許文献１参照）や、橋梁１上の所定位置に複数のターゲットを配置し、その位置を既設橋台２ａ，２ｂまたは陸上の固定点からＣＣＤカメラで撮像し各位置の計測値から演算処理する方法（例えば、特許文献２）がある。
【特許文献１】特開２０００−２９２５２０「橋梁架設時の精度管理装置」
【特許文献２】特開平８−２１０８５２「橋梁鈑桁など長尺構造物の自動計測装置及び方法」
【発明の開示】
【発明が解決しようとする課題】
【０００４】
上記のような橋梁のたわみ及びねじれの変状計測方法において、橋梁上の所定位置にＧＰＳ位置測定装置を多数並べて計測する方法では、橋梁を吊り下げるクレーンやワイヤー等の吊材がＧＰＳ衛星の受信障害になり計測が中断することがある。また、橋梁上の所定位置に多数のターゲットを配置して陸上または橋台上の固定点からＣＣＤカメラで計測する方法では、ＣＣＤカメラからターゲット全体を見通せないため計測が困難な場合がある。
【０００５】
本発明は、上記課題を解決し、起重機船により長大構造物、例えば橋梁を吊運搬し架設する際に、橋梁のたわみ及びねじれの変位状態をリアルタイムに計測管理し安全に架設作業が行えるようにした長大構造物の光学的変状計測装置を提供することを目的とする。
【課題を解決するための手段】
【０００６】
本発明の長大構造物の光学的変状計測装置は、長大構造物上の互いに離間する位置に配置したターゲットとズーム付きＣＣＤカメラとを有し、ズーム付きＣＣＤカメラで撮像したターゲットの画像データを画像処理機で画像処理し、長大構造物のたわみ成分とねじれ成分の変位を計測できるよう構成されていることを特徴とする。
【０００７】
また、本発明の長大構造物の光学的変状計測装置は、前記長大構造物が橋梁であって橋梁を起重機船により吊運搬し架設する際は、上記画像データを画像処理して得た橋梁の変状データを無線式データ伝送機により無線伝送するようにし、起重機船側では、橋梁の変状データを無線式データ受信機で介して情報処理装置により受信し変状計測結果を演算処理し表示装置に表示することにより、橋梁の変位状態をリアルタイムに計測管理できる機能を有することを特徴とする。
【０００８】
上記表示装置は、現在の橋梁のたわみ及びねじれを情報処理装置に事前設定された設計上の許容管理値と比較してグラフ表示し、該許容管理値は橋梁吊込みモード、運搬モード、橋梁架設モードに対応した許容管理値を前記情報処理装置に事前入力しておくことにより、各作業段階に応じた適切なウインチ操作やクレーン操作をうながし、また作業の待機または中止等の作業限界を判定ができる工程を有することを特徴とする。
【発明の効果】
【０００９】
本発明の長大構造物の光学的変状計測装置によれば、例えば橋梁を起重機船により吊運搬し架設する際は、橋梁の吊込から運搬時及び架設に至るまでの間、遠隔の起重機船側で橋梁の変位状態をリアルタイムに計測管理ができる。
【００１０】
特に橋梁の架設時は、既設橋台側に配置した専門測量員からの測定情報を受けずとも、起重機船で橋梁の変位状態をリアルタイムに計測管理できるので、作業の安全性が高まる。
【００１１】
また、ＣＣＤカメラを応用した光学的変状計測装置であるので、橋梁への艤装や取り外しが容易であり繰り返し使用することができるので経済的である。
【発明を実施するための最良の形態】
【００１２】
以下、本発明の実施例を図１〜図４で説明する。
【実施例１】
【００１３】
本発明においては架設する長大構造物、例えば橋梁１の所定位置に、ズーム付ＣＣＤカメラ５ａ，５ｂ及び画像処理機６ａ，６ｂとターゲット７ａ，７ｂを組合わせた光学的変状計測装置８と、該光学的変状計測装置８による変状計測データを橋梁１のたわみ量とねじれ度に補正演算する橋梁部計測処理器９と、該橋梁部計測処理器９による演算処理後の計測データを起重機船３へ無線伝送する無線式データ伝送機１０を配置する。
【００１４】
また、起重機船３には、上記無線式データ伝送機１０からの変状計測データを受信する無線式データ受信機１１と、受信した変状計測データを演算処理する情報処理装置１２と、演算処理した結果をリアルタイムに表示する表示装置１３を配置し、該表示装置１３により橋梁の変位状態をリアルタイムに計測管理できるようにする。
【００１５】
図５は、上記表示装置１３の橋梁動態計測表示例を示すもので、光学式変状計測装置８で計測した橋梁のたわみ及びねじれを許容管理値と比較してグラフ表示する。
【００１６】
上記、許容管理値は、橋梁吊込みモード、運搬モード、橋梁架設モードの各作業モードに応じた適切な設定値を情報処理装置１２に入力しておき、作業モードを切替えると設定された許容管理値が選択されるようになっている。例えば図５に示す橋梁のたわみ及びねじれの許容管理値は、陸上岸壁における橋梁試験吊りの際に実測した値や設計上の許容値を考慮に入れ各作業モードに応じた許容値で決められる。
【００１７】
図６と図７は、本発明に係わる上記光学的変状計測装置８の原理説明図であり、５０ｍを超えるような長い橋梁の場合は分解能及び受光量の関係から橋梁左半分の変状を計測するためのズーム付きＣＣＤカメラ５ａ及び画像処理器６ａとターゲット７ａを配置し、同様に橋梁右半分の変状を計測するためのズーム付きＣＣＤカメラ５ｂ及び画像処理器６ｂとターゲット７ｂを配置し、それぞれの画像処理器６ａ，６ｂにより画像処理し得たそれぞれの変状量を合成して橋梁全体の変状計測を行う。それぞれのターゲット７ａ，７ｂにはバッテリー電源で発光する２個の透過性の強いブルーグリーン系ＬＥＤ１，ＬＥＤ２をターゲット板表面の所定位置に取り付け、黒色のターゲット板との判別ができるようにする。
【００１８】
上記画像処理器６ａ又は６ｂによる画像処理方法を図７で説明すると、横１０２４×縦１０２４の画素からなるＣＣＤカメラを用いた場合に、撮像されたターゲットのＬＥＤ１の画素座標を（Ｈ１，Ｖ１）、ＬＥＤ２の画素座標を（Ｈ２，Ｖ２）とすると、図示のような計算式でたわみ量とねじれ度が計算できる。ここでＣＣＤカメラからターゲットまでの距離を５０ｍとすると、装着したズームの焦点距離を調整しターゲット板のうち５００ｍｍ四方をカメラの撮像面に収めれば１画素あたりの計測分解能は５００ｍｍ／１０２４画素になり、０．５ｍｍの分解能で計測される。
【００１９】
上記のような長い橋梁では、２組の光学的変状計測装置８を配置したが、橋梁の長さが５０ｍ以内である場合は、１組の光学的変状計測装置８により同様な計測が行える。
【００２０】
上記光学的変状計測装置８の調整試験は、橋梁が陸上岸壁に水平に置かれた状態で行いズーム調整やカメラ光軸合わせを行う。また橋梁の試験吊りの際には、吊り込みの前後にトータルステーション等の光波式位置測量機を用いてたわみ及びねじれを実測し、計測値にゼロ調整等のキャリブレーションを実施する。ゼロ調整等の補正結果は上記橋梁部計測処理器９に入力する。
【００２１】
また、前記ターゲット７ａ，７ｂには発光するＬＥＤを配置したが、ＬＥＤの代わりに拡散性反射テープを貼り付け、これをハロゲンランプにより照射しＣＣＤカメラで撮像し同様の画像処理計算を行うことで計測できるものとする。
【産業上の利用可能性】
【００２２】
起重機船により長大構造物、例えば橋梁を吊運搬し架設する工事において、橋梁のたわみ及びねじれの変位状態を管理しつつ安全に架設工事が行える長大構造物の光学的変状計測装置として利用できる。
【００２３】
また、橋梁の所定位置に本発明の光学的変状計測装置を数カ所設置し、橋体のたわみ及びねじれを常時遠隔でモニターする橋動態観測システムとしても利用できる。
【００２４】
なお、本発明における長大構造物には橋梁のほかジャケット式桟橋、沈埋函、ケーソン、パイプライン、シールドトンネル、開削トンネル、山岳トンネル、船舶、高層ビルが含まれるものとする。
【図面の簡単な説明】
【００２５】
【図１】本発明に係わる光学的変状計測装置の全体構成図である。
【図２】本発明の光学的変状計測装置の橋梁架設時の側面図である。
【図３】図２に示す橋梁架設時の正面図である。
【図４】図３に示す橋梁架設時の平面図である。
【図５】本発明に係わる橋梁動態計測表示例である。
【図６】本発明に係わる光学的変状計測装置の原理構成図である。
【図７】図６に示す画像処理方法の原理説明図である。
【図８】従来の橋梁架設方法の説明図である。
【図９】従来の橋梁架設方法の説明図である。
【符号の説明】
【００２６】
１    橋梁
２ａ  既設橋台
２ｂ  既設橋台
３    起重機船
４ａ  据付ガイド
４ｂ  据付ガイド
４ｃ  据付ガイド
５ａ  ズーム付ＣＣＤカメラ
５ｂ  ズーム付ＣＣＤカメラ
６ａ  画像処理機
６ｂ  画像処理機
７ａ  ターゲット
７ｂ  ターゲット
８    光学的変状計測装置
９    橋梁部計測処理器
１０    無線式データ伝送機
１１    無線式データ受信機
１２    情報処理装置
１３    表示装置
【図１】
2008058178.tif 000003
【図２】
2008058178.tif 000004
【図３】
2008058178.tif 000005
【図４】
2008058178.tif 000006
【図５】
2008058178.tif 000007
【図６】
2008058178.tif 000008
【図７】
2008058178.tif 000009
【図８】
2008058178.tif 000010
【図９】
2008058178.tif 000011